(57)【要約】【課題】塗布ノズルの洗浄水吐出口にスケールが析出したり、藻が繁殖することを防止し、塗布ノズルの詰まりを防止することにより、被洗浄物の洗浄状態の悪化を防止するとともに、洗浄水および排水処理コストの削減を図る洗浄水塗布装置を提供することを目的とするものである。【解決手段】洗浄水を送出する送水部３と洗浄水を被洗浄物に塗布する塗布ノズル１１を備えた塗布部１と送水部３と塗布部１の間の送水部３から送出された洗浄水が塗布部１まで供給する配管部２からなる洗浄水塗布装置において、配管部２の配管の周囲にほぼ同一円周上に４ヶ所以上配置した一組の磁石１７を、配管の長手方向に平行移動した複数の位置に設置した磁化部４を設けた構成とする。【選択図】図１
2007054748.tif 000002
【特許請求の範囲】
【請求項１】
洗浄水を送出する送水部と、
洗浄水を被洗浄物に塗布する塗布ノズルを備えた塗布部と、
上記送水部と上記塗布部の間において、上記送水部から送出された洗浄水を上記塗布部まで供給する配管部からなる洗浄水塗布装置であって、
上記配管部の配管の周囲に、同一円周上に４ヶ所以上配置した一組の磁石を、上記配管の長手方向に平行移動した位置に複数設置した磁化部を設けたことを特徴とする洗浄水塗布装置。
【請求項２】
洗浄水を送出する送水部と、
洗浄水を被洗浄物に塗布する塗布ノズルを備えた塗布部と、
上記送水部と上記塗布部の間において、上記送水部から送出された洗浄水を塗布部まで供給する配管部からなる洗浄水塗布装置であって、
上記塗布ノズルの洗浄水吐出口の周囲に、同一円周上の４ヶ所以上に磁石を設置した磁化部を設けた洗浄水塗布装置。
【請求項３】
洗浄水を送出する送水部と、
洗浄水を被洗浄物に塗布する塗布ノズルを備えた塗布部と、
上記送水部と上記塗布部の間において、上記送水部から送出された洗浄水が上記塗布部まで供給する配管部からなる洗浄水塗布装置であって、
上記塗布ノズルの材質を磁性体材料としたことを特徴とした洗浄水塗布装置。
【発明の詳細な説明】
【技術分野】
【０００１】
本発明は、電子部品などの工業製品などに、洗浄水を塗布する洗浄水塗布装置に関するものである。
【背景技術】
【０００２】
従来、この種の洗浄水塗布装置は、図８に示されるような構成を有していた。
【０００３】
図８は、従来の洗浄水塗布装置の概略図である。
【０００４】
図８において、２１は洗浄水を被洗浄物に塗布する塗布ノズル、２２は中空の塗布パイプ、２３は樹脂あるいは金属材料の配管パイプであり、２４は洗浄水を送水するための送水ポンプ、２５は洗浄水吐出口である。塗布ノズル２１は、塗布パイプ２２に取り付けられており、塗布パイプ２２は、配管パイプ２３に接続されていて、配管パイプ２３の端に送水ポンプ２４が接続されている。送水ポンプ２４からくみ出された洗浄水は、配管パイプ２３を通って、塗布パイプ２２に送水され、塗布ノズル２１を通過して、洗浄水吐出口２５から被洗浄物に塗布される。塗布ノズル２１を出た洗浄水は、用途に合わせて扇型、ホロコーン型、フルコーン型といった形状に噴射して塗布されるというものであった。
【０００５】
また、配管内のスケール、藻を除去する方法としては、水に磁力を加える方法が知られている。水に磁力を加えることで、水分子の結合数が減少し、水の見かけの分子の大きさが小さくなり、また、水分子の振動が激しくなる。これにより、水が活性化し、水の浸透力、洗浄力が向上するというもので、この水を一般的に磁化水といっている。
【０００６】
なお、この出願に関する先行技術文献情報としては、例えば、特許文献１、特許文献２が知られている。
【特許文献１】特開平１１−２２１５９５号公報
【特許文献２】実開平６−６４７９８号公報
【発明の開示】
【発明が解決しようとする課題】
【０００７】
しかしながら、上記従来の構成では、塗布ノズル２１の洗浄水吐出口２５に洗浄水中に含まれるスケールが析出したり、藻が付着し、繁殖する。塗布ノズル２１の洗浄水吐出口２５の直径は３ｍｍ以下の狭いものが使われることが多く、使用時間とともに塗布ノズル２１にノズル詰まりが生じ、洗浄水が所定通り塗布できず、被洗浄物の洗浄状態が悪化するという課題を有していた。また、水道管やクーリングタワーの配管のような太陽光のほとんど当らない配管内のスケール、藻に比べて、塗布ノズル２１の洗浄水吐出口２５に付着するスケール、藻は太陽光にさらされることが多く、付着力が強く、配管内のスケール除去に用いられる磁化水では除去するのが困難である。さらに、塗布ノズル２１に詰まりが生じても必要最低限の洗浄水を確保するために、あらかじめ塗布ノズル２１の洗浄水吐出口２５を大きめにするので、多量の洗浄水が必要になり、洗浄水コストが高くなるとともに、排水処理コストも増加するといった課題も有していた。
【０００８】
本発明は、前記課題を解決しようとするものであり、塗布ノズルの洗浄水吐出口にスケールが析出したり、藻が繁殖することを防止し、塗布ノズルの詰まりを防止することにより、被洗浄物の洗浄状態の悪化を防止するとともに、洗浄水および排水処理コストの削減を図る洗浄水塗布装置を提供することを目的とするものである。
【課題を解決するための手段】
【０００９】
前記目的を達成するために、本発明は以下の構成を有するものである。
【００１０】
本発明の請求項１に記載の発明は、特に洗浄水を送出する送水部と、洗浄水を被洗浄物に塗布する塗布ノズルを備えた塗布部と、上記送水部と上記塗布部の間において、上記送水部から送出された洗浄水を上記塗布部まで供給する配管部からなる洗浄水塗布装置であって、上記配管部の配管の周囲に、同一円周上に４ヶ所以上配置した一組の磁石を、上記配管の長手方向に平行移動した位置に複数設置した磁化部を設けたという構成を有しており、これにより活性度の高い洗浄水が得られ、塗布ノズルの洗浄水吐出口にスケールが析出したり、藻が繁殖することを低減することができ、塗布ノズルの詰まりを防止することにより、被洗浄物の洗浄状態の悪化を防止し、洗浄水および排水処理コストの削減を図ることができるという作用効果を有する。
【００１１】
本発明の請求項２に記載の発明は、特に洗浄水を送出する送水部と、洗浄水を被洗浄物に塗布する塗布ノズルを備えた塗布部と、上記送水部と上記塗布部の間において、上記送水部から送出された洗浄水を塗布部まで供給する配管部からなる洗浄水塗布装置であって、上記塗布ノズルの洗浄水吐出口の周囲に、同一円周上に４ヶ所以上に磁石を設置した磁化部を設けたという構成を有しており、これにより、塗布部で活性度の高い洗浄水が得られ、磁化部と塗布部の間の配管部の長さが長い場合に生じる配管部を通過する間の洗浄水の浸透力および洗浄力の低下を防止することができ、塗布ノズルの洗浄水吐出口にスケールが析出したり、藻が繁殖することを低減する効果を向上することができるとともに、塗布ノズルの洗浄水吐出口に直接磁力が作用するため、塗布ノズルの洗浄水吐出口は藻等の生物が生育しにくい環境となり、藻の繁殖防止効果を向上することができるという作用効果を有する。
【００１２】
本発明の請求項３に記載の発明は、特に洗浄水を送出する送水部と、洗浄水を被洗浄物に塗布する塗布ノズルを備えた塗布部と、上記送水部と上記塗布部の間において、上記送水部から送出された洗浄水が上記塗布部まで供給する配管部からなる洗浄水塗布装置であって、上記塗布ノズルの材質を磁性体材料としたという構成を有しており、これにより、塗布ノズル自体が磁力を発生するため、洗浄水に直接磁力を作用させることができ、間接的に洗浄水に磁力を作用させるよりも洗浄水への磁力の効果を向上することができ、塗布部で活性度の高い洗浄水が得られ、塗布ノズルの洗浄水吐出口にスケールが析出するのを低減するとともに、塗布ノズルの洗浄水吐出口は藻等の生物が生育しにくい環境となり、藻の繁殖を低減することができるという作用効果を有する。
【発明の効果】
【００１３】
本発明の洗浄水塗布装置は、洗浄水を送出する送水部と、洗浄水を被洗浄物に塗布する塗布ノズルを備えた塗布部と、送水部と塗布部の間の送水部から送出された洗浄水が塗布部まで供給する配管部からなる洗浄水塗布装置において、配管部の配管の周囲にほぼ同一円周上に４ヶ所以上配置した一組の磁石を、配管の長手方向に平行移動した複数の位置に設置した磁化部を設けたという構成、あるいは、塗布ノズルの洗浄水吐出口の周囲にほぼ同一円周上に４ヶ所以上磁石を設置した磁化部を設けたという構成、あるいは、塗布ノズルの材質を磁性体材料としたという構成であり、活性度の高い洗浄水が得られ、塗布ノズルの洗浄水吐出口にスケールが析出したり、藻の繁殖を低減することができ、塗布ノズルの詰まりを防止することにより、被洗浄物の洗浄状態の悪化を防止し、洗浄水および排水処理コストの削減を図ることができるという作用効果を奏するものである。
【発明を実施するための最良の形態】
【００１４】
（実施の形態１）
以下、実施の形態１を用いて、本発明の特に請求項１に記載の発明について図面を参照しながら説明する。
【００１５】
図１は、本発明の実施の形態１における洗浄水塗布装置の構成を示す概略図である。図１において、洗浄水塗布装置は、洗浄水を塗布する塗布部１、塗布部１に洗浄水を案内する配管部２、塗布部１に洗浄水を送り込む送水部３、洗浄水を案内する配管部２に磁場を形成する磁化部４から構成されており、送水部３は送水ポンプ１８からなる。
【００１６】
図２は、本発明の実施の形態１における洗浄水塗布装置の塗布部および配管部の断面図である。図２において、１１は塗布ノズル、１２は塗布パイプ、１３はプラグ、１４は継ぎ手、１５は配管ホース、１６は配管パイプ、２０は洗浄水吐出口である。配管パイプ１６の一端には送水部３が接続されており、他端はプラグ１３で塞がれていて、配管パイプ１６の途中に継ぎ手１４が接続され、その継ぎ手１４に配管ホース１５が取り付けられている。配管ホース１５の他端は継ぎ手１４が接続され、その継ぎ手１４に塗布パイプ１２が接続され、塗布パイプ１２の他端はプラグ１３で塞がれている。なお、プラグ１３を継ぎ手１４にして塗布パイプ１２の両端に配管ホース１５を接続してもよい。塗布パイプ１２には塗布ノズル１１が取り付けられている。塗布ノズル１１の洗浄水吐出口２０の直径はφ２ｍｍである。
【００１７】
図３は、本発明の実施の形態１における洗浄水塗布装置の磁化部の構成を示す概略図である。図３において、１７は磁石であり、４ヶ一組の磁石１７が配管パイプ１６の周囲にほぼ均等に配置されており、さらにもう一組の磁石１７が同様に取り付けられている。磁石１７はネオジウム磁石である。
【００１８】
図４は、本発明の実施の形態１における洗浄水塗布装置の磁石の取り付けを示す断面図である。磁石１７は全て配管パイプ１６の外壁とＳ極側が接触するように取り付けられている。
【００１９】
次に本発明の実施の具体的な動作について説明する。図１、図２および図３において、洗浄水１９は送水ポンプ１８により送水され、配管部２に送られる。配管パイプ１６、配管ホース１５を通った洗浄水１９は塗布部１に送られ、塗布パイプ１２を通って、塗布ノズル１１で所定の塗布パターンに変形し、洗浄水吐出口２０から図示しない被洗浄物に塗布される。磁化部４は、磁石１７をほぼ同一円周上に４ヶ以上かつその同一円周上の組を複数設けているため、磁化部４を洗浄水１９が通過する際、活性度の高い洗浄水１９が得られ、洗浄水１９の浸透力、洗浄力が向上する。この洗浄水１９が塗布ノズル１１の洗浄水吐出口２０から吐出される際、塗布ノズル１１の洗浄水吐出口２０とスケール、藻との間の微小なすきまに浸透し、スケールが塗布ノズル１１の洗浄水吐出口２０に付着しにくくなるとともに、藻の繁殖も低減することができる。それにより、塗布ノズル１１の詰まりを防止し、被洗浄物の洗浄状態の悪化を防止するとともに、直径の小さな洗浄水吐出口２０の塗布ノズル１１を使用することができ、洗浄水および排水処理コストの削減を図ることができる。
【００２０】
ここで、外径１１４ｍｍの配管パイプ１６、１８ｍｍ×１０ｍｍ×３ｍｍの磁石１７、直径２ｍｍの洗浄水吐出口２０の塗布ノズル１１を用いて、毎分２リットルの洗浄水１９を送出する。
【００２１】
図５は本発明の実施の形態１における一組の磁石数と組数を変えた場合の塗布ノズル詰まり発生有無に関する結果表である。図５中の×印は、３ヶ月間洗浄水を塗布し、塗布ノズル詰まりが発生した、○印は、３ヶ月間洗浄水を塗布し、塗布ノズル詰まりが発生しなかったことを示す。図４に示すように、配管パイプ１６の外壁と接触する磁石１７の極を全て同じにすることにより、それぞれの磁石１７の磁力の打ち消しを低減し、配管パイプ１６内に強力な磁界を発生させることができる。また、４ヶ一組の磁石１７が配管パイプ１６の周囲にほぼ均等に配置されているため、配管パイプ１６内の磁力のばらつきを低減することができる。
【００２２】
（実施の形態２）
以下、実施の形態２を用いて、本発明の特に請求項２、３に記載の発明について図面を参照しながら説明する。
【００２３】
図６は、本発明の実施の形態２における洗浄水塗布装置の磁化部の構成を示す概略図である。図６において、塗布ノズル１１の洗浄水吐出口２０の周囲のほぼ同一円周上に４ヶ所Ｓ極が塗布ノズル１１の外壁と接触するように磁石１７が取り付けられている。
【００２４】
次に本発明の実施の具体的な動作について説明する。実施の形態１と同様に送水ポンプ１８により配管パイプ１６、配管ホース１５、塗布パイプ１２を送られてきた洗浄水１９は、塗布ノズル１１の洗浄水吐出口２０を通過する際、磁石１７の磁力により活性化され、洗浄水１９の浸透力、洗浄力が向上する。磁化部４が塗布部１にあるため洗浄水１９の活性度は低下することなく、塗布ノズル１１の洗浄水吐出口２０のスケール、藻に作用することができる。これにより、塗布ノズル１１の洗浄水吐出口２０にスケールが析出したり、藻が繁殖することを低減する効果を向上することができるとともに、塗布ノズル１１の洗浄水吐出口２０に直接磁力が作用するため、塗布ノズル１１の洗浄水吐出口２０は藻等の生物が生育しにくい環境となり、藻の繁殖防止効果を高めることができる。
【００２５】
ここで、３ｍｍ×３ｍｍ×３ｍｍの磁石１７、直径２ｍｍの洗浄水吐出口２０の外径約６ｍｍの塗布ノズル１１を用いて、毎分２リットルの洗浄水１９を送出する。
【００２６】
図７は本発明の実施の形態２における一組の磁石数を変えた場合の塗布ノズル詰まり発生有無結果表である。図７中の×印は、３ヶ月間洗浄水を塗布し、塗布ノズル詰まりが発生した、○印は、３ヶ月間洗浄水を塗布し、塗布ノズル詰まりが発生しなかったことを示す。
【００２７】
また、図２において、塗布ノズル１１の材質を磁性体材料とすることにより、塗布ノズル１１は磁力を発生し、洗浄水１９が塗布ノズル１１を通過する際、洗浄水１９に直接磁力を作用することができる。これにより、塗布ノズル１１の周囲に磁石１７を取り付けた場合よりも強い磁力を洗浄水１９に作用することができ、塗布ノズル１１の洗浄水吐出口２０で活性度の高い洗浄水１９を得ることができる。この洗浄水１９の浸透性、洗浄力により、塗布ノズル１１の洗浄水吐出口２０へのスケールの付着、藻の繁殖を抑えることができる。
【００２８】
また、塗布ノズル１１の洗浄水吐出口２０の磁力の影響により、洗浄水吐出口２０は藻等の生物が生育しにくい環境となり、藻が繁殖しにくくなる。
【００２９】
これらから、塗布ノズル１１の詰まりを防止し、被洗浄物の洗浄不良を低減することができるとともに、洗浄水塗布装置のメンテナンスを容易にし、洗浄水の削減を図り、排水処理コストを削減することができる。
【産業上の利用可能性】
【００３０】
本発明にかかる洗浄水塗布装置は、活性度の高い洗浄水により、塗布ノズルの洗浄水吐出口にスケールが析出したり、藻が繁殖することを低減することができ、塗布ノズルの詰まりを防止し、被洗浄物の洗浄状態の悪化を防止するとともに、洗浄水および排水処理コストの削減を図ることができるという効果を有し、洗浄水を塗布する洗浄水塗布装置などの用途として有用である。
【図面の簡単な説明】
【００３１】
【図１】本発明の実施の形態１における洗浄水塗布装置の構成を示す概略図
【図２】本発明の実施の形態１における洗浄水塗布装置の塗布部および配管部の断面図
【図３】本発明の実施の形態１における洗浄水塗布装置の磁化部の構成を示す概略図
【図４】本発明の実施の形態１における洗浄水塗布装置の磁石の取り付けを示す断面図
【図５】本発明の実施の形態１における一組の磁石数と組数を変えた場合の塗布ノズル詰まり発生有無に関する結果を示した図
【図６】本発明の実施の形態２における洗浄水塗布装置の磁化部の構成を示す概略図
【図７】本発明の実施の形態２における一組の磁石数を変えた場合の塗布ノズル詰まり発生有無に関する結果を示した図
【図８】従来の洗浄水塗布装置の概略図
【符号の説明】
【００３２】
１  塗布部
２  配管部
３  送水部
４  磁化部
１１  塗布ノズル
１２  塗布パイプ
１３  プラグ
１４  継ぎ手
１５  配管ホース
１６  配管パイプ
１７  磁石
１８  送水ポンプ
１９  洗浄水
２０  洗浄水吐出口
２１  塗布ノズル
２２  塗布パイプ
２３  配管パイプ
２４  送水ポンプ
２５  洗浄水吐出口
【図１】
2007054748.tif 000003
【図２】
2007054748.tif 000004
【図３】
2007054748.tif 000005
【図４】
2007054748.tif 000006
【図５】
2007054748.tif 000007
【図６】
2007054748.tif 000008
【図７】
2007054748.tif 000009
【図８】
2007054748.tif 000010